(57)【要約】【課題】ユーザーは好みの収納ポケット体をバッグ本体の開口周方向における好きな位置に取り付けて自分の使い勝手に合わせてカスタマイズすることができるバッグを提供する。【解決手段】バッグ１００は、バッグ本体１１０と、バッグ本体の内側に配設される収納ポケット体１２０Ａ〜１２０Ｄとを備えている。バッグ本体１１０が、ものを出し入れ自在な開口１１１と、バッグ本体の内側における開口周方向に所定間隔で複数配列された係合部１１２とを有している。収納ポケット体１２０Ａ〜１２０Ｄが、ものを収納自在なポケット１２１と、所定間隔で複数配列されてバッグ本体の係合部と係合自在な被係合部１２２とを備えている。【選択図】図１
0003232688.tif 000002
【実用新案登録請求の範囲】
【請求項１】
バッグ本体の内側にものを収納自在なバッグであって、
前記バッグ本体と、
前記バッグ本体の内側に配設される収納ポケット体とを備え、
前記バッグ本体が、ものを出し入れ自在な開口と、バッグ本体の内側における開口周方向に所定間隔で複数配列された係合部とを有し、
前記収納ポケット体が、前記ものを収納自在なポケットと、所定間隔で複数配列されてバッグ本体の係合部と係合自在な被係合部とを備えていることを特徴とするバッグ。
【請求項２】
前記係合部が、バッグ本体の開口においてバッグ内側へ折り返されるように形成された折り返し部分の裏側に設けられ、収納ポケット体の被係合部が、バッグ本体の開口における折り返し部分の裏側において係合部と係合する構成であることを特徴とする請求項１に記載のバッグ。
【請求項３】
前記バッグ本体の係合部の数が、１つの収納ポケット体の被係合部の数より多く、
複数の収納ポケット体が、バッグ本体に対して着脱自在であることを特徴とする請求項１または請求項２に記載のバッグ。
【請求項４】
前記複数の収納ポケット体が、互いに形状・大きさ・色の少なくとも１つを異にする関係であることを特徴とする請求項３に記載のバッグ。
【考案の詳細な説明】
【技術分野】
【０００１】
本考案は、バッグ本体の内側にものを収納自在なバッグに関する。
【背景技術】
【０００２】
従来、インナーポケットとバッグ本体とが、一対のファスナー片を備えたスライドファスナーで着脱自在に構成されたバッグが知られている（例えば、特許文献１）。
【先行技術文献】
【特許文献】
【０００３】
【特許文献１】実用新案登録第３２０８７９９号公報
【考案の概要】
【考案が解決しようとする課題】
【０００４】
しかしながら、上述した従来のバッグは、バッグ本体におけるスライドファスナーの位置が所定位置に決まっている構造であったため、インナーポケットの位置をユーザーの所望の位置に変更することが困難であるという問題があった。
【０００５】
そこで、本考案は、前述したような従来技術の問題を解決するものであって、すなわち、本考案の目的は、ユーザーは好みの収納ポケット体をバッグ本体の開口周方向における好きな位置に取り付けて自分の使い勝手に合わせてカスタマイズすることができるバッグを提供することである。
【課題を解決するための手段】
【０００６】
本請求項１に係る考案は、バッグ本体の内側にものを収納自在なバッグであって、前記バッグ本体と、前記バッグ本体の内側に配設される収納ポケット体とを備え、前記バッグ本体が、ものを出し入れ自在な開口と、バッグ本体の内側における開口周方向に所定間隔で複数配列された係合部とを有し、前記収納ポケット体が、前記ものを収納自在なポケットと、所定間隔で複数配列されてバッグ本体の係合部と係合自在な被係合部とを備えていることにより、前述した課題を解決するものである。
【０００７】
本請求項２に係る考案は、請求項１に記載されたバッグの構成に加えて、前記係合部が、バッグ本体の開口においてバッグ内側へ折り返されるように形成された折り返し部分の裏側に設けられ、収納ポケット体の被係合部が、バッグ本体の開口における折り返し部分の裏側において係合部と係合する構成であることにより、前述した課題をさらに解決するものである。
【０００８】
本請求項３に係る考案は、請求項１または請求項２に記載されたバッグの構成に加えて、前記バッグ本体の係合部の数が、１つの収納ポケット体の被係合部の数より多く、複数の収納ポケット体が、バッグ本体に対して着脱自在であることにより、前述した課題をさらに解決するものである。
【０００９】
本請求項４に係る考案は、請求項３に記載されたバッグの構成に加えて、前記複数の収納ポケット体が、互いに形状・大きさ・色の少なくとも１つを異にする関係であることにより、前述した課題をさらに解決するものである。
【考案の効果】
【００１０】
本考案のバッグは、バッグ本体を備えていることにより、バッグ本体の内側にものを収納することができるばかりでなく、以下のような特有の効果を奏することができる。
【００１１】
本請求項１に係る考案のバッグによれば、収納ポケット体がバッグ本体に対して着脱自在になり、ユーザーは好みの収納ポケット体をバッグ本体の開口周方向における好きな位置に取り付けて自分の使い勝手に合わせてカスタマイズすることができる。
さらに、用途・目的に合わせて、ものを収納したままの収納ポケット体をバッグ本体から取り外し、別のものを収納した別の収納ポケット体をバッグ本体に取り付けると、バッグに収納されたものが用途に合わせて入れ替わるため、ユーザーは異なる用途・目的であっても簡単に持ち物を変えて同じ外観のバッグで出かけることができる。
【００１２】
本請求項２に係る考案のバッグによれば、請求項１に係る考案が奏する効果に加えて、バッグ本体と収納ポケット体との係合箇所が折り返し部分の裏側に隠れるため、ポケットに対してものを出し入れする際にユーザーの指先やものが係合箇所に引っかかって係合が外れてしまうことを回避できる。
さらに、係合部と被係合部との係合箇所が折り返し部分の裏側に隠れるため、見栄えをよくすることができる。
【００１３】
本請求項３に係る考案のバッグによれば、請求項１または請求項２に係る考案が奏する効果に加えて、複数の収納ポケット体がバッグ本体に対して着脱自在になり、ユーザーは好みの複数の収納ポケット体をバッグ本体の開口周方向における好きな位置に取り付けて自分の使い勝手に合わせてカスタマイズすることができる。
さらに、用途・目的に合わせて、収納ポケット体を付け替える際、貴重品用の収納ポケット体はそのままバッグ本体に取り付けたままで、それ以外の収納ポケット体を付け替えるだけでよいため、貴重品を自宅に置き忘れることを回避できる。
【００１４】
本請求項４に係る考案のバッグによれば、請求項３に係る考案が奏する効果に加えて、バッグ本体の内側において複数の収納ポケット体のポケットの配置についてそれぞれ形状・大きさ・色の少なくとも１つが異なる配置となるため、ユーザーはバッグ本体の内側のポケットにものを収納する際、所定のものを自身で決めた所定のポケットに入れることができる。
さらに、所定のポケットに所定のものが収納されているため、ユーザーはバッグ本体の内側のポケットから所定のものを取り出す際、所定のポケットを簡単に見つけて所定のものを迷わず簡単に取り出すことができる。
つまり、ユーザーは、バッグ本体の内側であれこれと探しものを探してゴチャゴチャになってしまうことを回避することができる。
また、用途・目的に合わせて、貴重品用の収納ポケット体はそのままバッグ本体に取り付けたままで、それ以外の収納ポケット体を付け替える際、貴重品用の収納ポケット体がどれであるか簡単に識別可能となるため、それ以外の収納ポケット体を簡単に選んで付け替えることができる。
【図面の簡単な説明】
【００１５】
【図１】本考案の実施例であるバッグの概念を示す図。
【図２】本考案の実施例であるバッグのバッグ本体のみを示す斜視図。
【図３】本考案の実施例であるバッグのバッグ本体に収納ポケット体を取り付けた様子を示す斜視図。
【考案を実施するための形態】
【００１６】
本考案のバッグは、バッグ本体と、バッグ本体の内側に配設される収納ポケット体とを備え、バッグ本体が、ものを出し入れ自在な開口と、バッグ本体の内側における開口周方向に所定間隔で複数配列された係合部とを有し、収納ポケット体が、ものを収納自在なポケットと、所定間隔で複数配列されてバッグ本体の係合部と係合自在な被係合部とを備えていることにより、ユーザーは好みの収納ポケット体をバッグ本体の開口周方向における好きな位置に取り付けて自分の使い勝手に合わせてカスタマイズすることができるものであれば、その具体的な実施態様は、如何なるものであっても構わない。
【００１７】
例えば、バッグ本体や収納ポケット体の素材は、革や布地など如何なるものであっても構わない。
また、バッグ本体および収納ポケット体の形状は、ものを収納自在なものであれば如何なるものであっても構わない。
さらに、バッグ本体は、手提げタイプやリュックサックタイプなどユーザーがものを入れて持ち運ぶバッグであれば如何なるものであっても構わない。
また、係合部と被係合部との関係は、ある程度の係合力（係合を保持する力）があって着脱自在に係合可能であればよく、所謂、ジャンパーホック（ジャンパーボタンともいう）や、バネホックでもよい。
【実施例】
【００１８】
以下に、本考案の実施例であるバッグ１００について、図１乃至図３に基づいて説明する。
ここで、図１は、本考案の実施例であるバッグ１００の概念を示す図であり、図２は、本考案の実施例であるバッグ１００のバッグ本体１１０のみを示す斜視図であり、図３は、本考案の実施例であるバッグ１００のバッグ本体１１０に収納ポケット体１２０Ａ〜１２０Ｃを取り付けた様子を示す斜視図である。
【００１９】
本考案の実施例であるバッグ１００は、図１乃至図３に示すように、バッグ本体１１０と、収納ポケット体１２０Ａ〜１２０Ｄとを備えている。
収納ポケット体１２０Ａ〜１２０Ｄは、バッグ本体１１０の内側に配設されるものである。
本実施例では、一例として、形状や色が互いに異なる４種類の収納ポケット体１２０Ａ〜１２０Ｄを示す。
さらに、バッグ本体１１０が、ものを出し入れ自在な開口１１１と、バッグ本体１１０の内側における開口周方向に所定間隔で複数配列された係合部１１２と、一例としての把手１１３とを有している。
本実施例では、一例として、係合部１１２は、バッグ本体１１０の内側の開口周方向の全範囲において所定間隔で複数配列されている。
【００２０】
また、収納ポケット体１２０Ａ〜１２０Ｄが、ものを収納自在なポケット１２１と、所定間隔で複数配列されてバッグ本体１１０の係合部１１２と係合自在な被係合部１２２とを備えている。
一例として、４種類の収納ポケット体１２０Ａ〜１２０Ｄのうち、第１の収納ポケット体１２０Ａは、所定間隔で配列された被係合部１２２を２個有している。
また、第２の収納ポケット体１２０Ｂは、所定間隔で配列された被係合部１２２を３個有している。
さらに、第３の収納ポケット体１２０Ｃは、所定間隔で配列された被係合部１２２を４個有している。
【００２１】
また、第４の収納ポケット体１２０Ｄは、所定間隔で配列された被係合部１２２を１０個有している。
なお、第４の収納ポケット体１２０Ｄは、内部に底を有し、所謂、バッグインバッグタイプである。
他方、バッグ本体１１０は、バッグ本体１１０の内側における開口周方向に所定間隔で配列された係合部１１２を１０個有している。
本実施例では、一例として、係合部１１２は、所謂、ジャンパーホック（ジャンパーボタンともいう）のメス側であり、被係合部１２２は、ジャンパーホックのオス側である。
オス側およびメス側は、係合部１１２および被係合部１２２のいずれでもよい。
【００２２】
これにより、収納ポケット体１２０Ａ〜１２０Ｄがバッグ本体１１０に対して着脱自在になる。
その結果、図３に示すように、ユーザーは好みの収納ポケット体１２０Ａ〜１２０Ｄをバッグ本体１１０の開口周方向における好きな位置に取り付けて自分の使い勝手に合わせてカスタマイズすることができる。
さらに、図２に示すように、用途・目的に合わせて、ものを収納したままの収納ポケット体１２０Ａ〜１２０Ｄをバッグ本体１１０から取り外し、図３に示すように、別のものを収納した別の収納ポケット体１２０Ａ〜１２０Ｄをバッグ本体１１０に取り付けると、バッグ１００に収納されたものが用途に合わせて入れ替わる。
その結果、ユーザーは異なる用途・目的であっても簡単に持ち物を変えて同じ外観のバッグ１００で出かけることができる。
【００２３】
また本実施例では、図２に示すように、係合部１１２が、バッグ本体１１０の開口１１１においてバッグ内側へ折り返されるように形成された折り返し部分１１４の裏側に設けられている。
ここで、折り返し部分１１４の基端側は、バッグ本体１１０の外側の生地と一連に繋がっていてもよいし、開口１１１の上端においてバッグ本体１１０の外側の生地に縫い付けられていてもよい。
そして、図３に示すように、収納ポケット体１２０Ａ〜１２０Ｄの被係合部１２２が、バッグ本体１１０の開口１１１における折り返し部分１１４の裏側において係合部１１２と係合するように構成されている。
【００２４】
これにより、バッグ本体１１０と収納ポケット体１２０Ａ〜１２０Ｄとの係合箇所が折り返し部分１１４の裏側に隠れる。
その結果、ポケット１２１に対してものを出し入れする際にユーザーの指先やものが係合箇所に引っかかって係合が外れてしまうことを回避できる。
さらに、係合部１１２と被係合部１２２との係合箇所が折り返し部分１１４の裏側に隠れる。
その結果、見栄えをよくすることができる。
【００２５】
さらに本実施例では、バッグ本体１１０の係合部１１２の数が、１つの収納ポケット体１２０Ａ〜１２０Ｃの被係合部１２２の数より多い。
そして、複数の収納ポケット体１２０Ａ〜１２０Ｃとして第１の収納ポケット体１２０Ａ〜第３の収納ポケット体１２０Ｃが、バッグ本体１１０に対して着脱自在である。
これにより、複数の収納ポケット体１２０Ａ〜１２０Ｃとして第１の収納ポケット体１２０Ａ〜第３の収納ポケット体１２０Ｃがバッグ本体１１０に対して着脱自在になる。
その結果、図３に示すように、ユーザーは好みの複数の収納ポケット体１２０Ａ〜１２０Ｃをバッグ本体１１０の開口周方向における好きな位置に取り付けて自分の使い勝手に合わせてカスタマイズすることができる。
さらに、用途・目的に合わせて、収納ポケット体１２０Ａ〜１２０Ｃを付け替える際、貴重品用の収納ポケット体１２０Ａ〜１２０Ｃはそのままバッグ本体１１０に取り付けたままで、それ以外の収納ポケット体１２０Ａ〜１２０Ｃを付け替えるだけでよい。
その結果、貴重品を自宅に置き忘れることを回避できる。
【００２６】
また本実施例では、複数の収納ポケット体１２０Ａ〜１２０Ｄとして第１の収納ポケット体１２０Ａ〜第４の収納ポケット体１２０Ｄが、互いに形状・大きさ・色の少なくとも１つを異にする関係である。
本実施例では、一例として、第１の収納ポケット体１２０Ａは、縦に細長いポケット１２１を多数有し、ペンなどを入れることにより、所謂、ペンケースの役割を果たす。
また、第２の収納ポケット体１２０Ｂは、深さの異なるポケット１２１を２つ有している。
さらに、第３の収納ポケット体１２０Ｃは、深さおよび幅の異なるポケット１２１を２つ有している。
第４の収納ポケット体１２０Ｄは、第１の収納ポケット体１２０Ａのポケット１２１、第２の収納ポケット体１２０Ｂのポケット１２１、第３の収納ポケット体１２０Ｃのポケット１２１と同様のいろいろなポケット１２１を多数有している。
【００２７】
これにより、バッグ本体１１０の内側において複数の収納ポケット体１２０Ａ〜１２０Ｄのポケット１２１の配置についてそれぞれ形状・大きさ・色の少なくとも１つが異なる配置となる。
その結果、ユーザーはバッグ本体１１０の内側のポケット１２１にものを収納する際、所定のものを自身で決めた所定のポケット１２１に入れることができる。
さらに、所定のポケット１２１に所定のものが収納されている。
その結果、図３に示すように、ユーザーはバッグ本体１１０の内側のポケット１２１から所定のものを取り出す際、所定のポケット１２１を簡単に見つけて所定のものを迷わず簡単に取り出すことができる。
【００２８】
つまり、ユーザーは、バッグ本体１１０の内側であれこれと探しものを探してゴチャゴチャになってしまうことを回避することができる。
また、用途・目的に合わせて、貴重品用の収納ポケット体１２０Ａ〜１２０Ｃはそのままバッグ本体１１０に取り付けたままで、それ以外の収納ポケット体１２０Ａ〜１２０Ｃを付け替える際、貴重品用の収納ポケット体１２０Ａ〜１２０Ｃがどれであるか簡単に識別可能となる。
その結果、それ以外の収納ポケット体１２０Ａ〜１２０Ｃを簡単に選んで付け替えることができる。
【００２９】
このようにして得られた本考案の実施例であるバッグ１００は、バッグ本体１１０と、バッグ本体１１０の内側に配設される収納ポケット体１２０Ａ〜１２０Ｄとを備え、バッグ本体１１０が、ものを出し入れ自在な開口１１１と、バッグ本体１１０の内側における開口周方向に所定間隔で複数配列された係合部１１２とを有し、収納ポケット体１２０Ａ〜１２０Ｄが、ものを収納自在なポケット１２１と、所定間隔で複数配列されてバッグ本体１１０の係合部１１２と係合自在な被係合部１２２とを備えていることにより、ユーザーは好みの収納ポケット体１２０Ａ〜１２０Ｄをバッグ本体１１０の開口周方向における好きな位置に取り付けて自分の使い勝手に合わせてカスタマイズすることができ、さらに、用途・目的に合わせて、ものを収納したままの収納ポケット体１２０Ａ〜１２０Ｄをバッグ本体１１０から取り外し、別のものを収納した別の収納ポケット体１２０Ａ〜１２０Ｄをバッグ本体１１０に取り付けると、ユーザーは異なる用途・目的であっても簡単に持ち物を変えて同じ外観のバッグ１００で出かけることができる。
【００３０】
また、係合部１１２が、バッグ本体１１０の開口１１１においてバッグ内側へ折り返されるように形成された折り返し部分１１４の裏側に設けられ、収納ポケット体１２０Ａ〜１２０Ｄの被係合部１２２が、バッグ本体１１０の開口１１１における折り返し部分１１４の裏側において係合部１１２と係合する構成であることにより、ポケット１２１に対してものを出し入れする際にユーザーの指先やものが係合箇所に引っかかって係合が外れてしまうことを回避できるとともに、見栄えをよくすることができる。
【００３１】
さらに、バッグ本体１１０の係合部１１２の数が、１つの収納ポケット体１２０Ａ〜１２０Ｃの被係合部１２２の数より多く、複数の収納ポケット体１２０Ａ〜１２０Ｃが、バッグ本体１１０に対して着脱自在であることにより、ユーザーは好みの複数の収納ポケット体１２０Ａ〜１２０Ｃをバッグ本体１１０の開口周方向における好きな位置に取り付けて自分の使い勝手に合わせてカスタマイズすることができ、さらに、用途・目的に合わせて、収納ポケット体１２０Ａ〜１２０Ｃを付け替える際、貴重品用の収納ポケット体１２０Ａ〜１２０Ｃはそのままバッグ本体１１０に取り付けたままで、それ以外の収納ポケット体１２０Ａ〜１２０Ｃを付け替えると、貴重品を自宅に置き忘れることを回避できる。
【００３２】
また、複数の収納ポケット体１２０Ａ〜１２０Ｄが、互いに形状・大きさ・色の少なくとも１つを異にする関係であることにより、ユーザーはバッグ本体１１０の内側のポケット１２１にものを収納する際、所定のものを自身で決めた所定のポケット１２１に入れることができ、さらに、ユーザーはバッグ本体１１０の内側のポケット１２１から所定のものを取り出す際、所定のポケット１２１を簡単に見つけて所定のものを迷わず簡単に取り出すことができ、ユーザーは、バッグ本体１１０の内側であれこれと探しものを探してゴチャゴチャになってしまうことを回避することができ、また、用途・目的に合わせて、貴重品用の収納ポケット体１２０Ａ〜１２０Ｄはそのままバッグ本体１１０に取り付けたままで、それ以外の収納ポケット体１２０Ａ〜１２０Ｄを付け替える際、貴重品用の収納ポケット体１２０Ａ〜１２０Ｄがどれであるか簡単に識別可能となり、それ以外の収納ポケット体１２０Ａ〜１２０Ｄを簡単に選んで付け替えることができるなど、その効果は甚大である。
【符号の説明】
【００３３】
１００  ・・・  バッグ
１１０  ・・・  バッグ本体
１１１  ・・・  開口
１１２  ・・・  係合部
１１３  ・・・  把手
１１４  ・・・  折り返し部分
１２０Ａ・・・  （第１の）収納ポケット体
１２０Ｂ・・・  （第２の）収納ポケット体
１２０Ｃ・・・  （第３の）収納ポケット体
１２０Ｄ・・・  （第４の）収納ポケット体
１２１  ・・・  ポケット
１２２  ・・・  被係合部
【図１】
0003232688.tif 000003
【図２】
0003232688.tif 000004
【図３】
0003232688.tif 000005